(57)【要約】【課題】従来の前部連結用のブラジャーにおいて、例えば左右カップ部の中央部に設けたテープ生地に複数の係合部を設け、同係合部に留具を係止してカップ間の間隔を適宜に調整するようにしたものが見られるが、カップ間を連結するための留具としては、見栄えが悪く、取り扱いにくい等の欠点があり、コンパクトで合理的な留具は、従来からあまり見られなかったのである。【解決手段】本発明では板状体の表面側に凹状切除部を設けると共に、同凹状切除部の中間位置から板状体の裏面側後方位置に切抜窓を設けてスリット状開口部を貫通、一体化して雌型連結具を形成し、一方押圧板及び突出板を段差状に一体化してなる嵌合板を有する雄型連結具を形成し、同嵌合板を前記スリット状開口部内に挿入、嵌合することにより、雌型連結具と雄型連結具とが互いに確実に嵌合、接圧され、強固に連結固定されるようにしたものである。【選択図】          図１
2004218119.tif 000002
【特許請求の範囲】
【請求項１】
板状体の表面側から裏面側に貫通する嵌合用のスリット状開口部を備えた雌型連結具と、同スリット状開口部に嵌合する嵌合板を備えた雄型連結具からなる前止め形式のブラジャー用連結具において、前記雌型連結具を形成する板状体の表面側に凹状切除部を設けると共に、同凹状切除部の中間位置から板状体の裏面側後方位置に切抜窓を設け、凹状切除部及び切抜窓を貫通、一体化してスリット状開口部を形成し、一方押圧板及び突出板を段差状に一体化して嵌合板を形成すると共に、前方位置に設けた突出板を低位置に位置させて雄型連結具を構成し、前記スリット状開口部内に嵌合板を挿入、嵌合するように構成したことを特徴とするブラジャー用前部連結具。
【請求項２】
雌型連結具のスリット状開口部の両側部に軸受用切欠部を設け、一方雄型連結具に設けた押圧板の先端側両端部に支軸を設け、同支軸を前記軸受用切欠部側に嵌合、軸支させるように構成したことを特徴とする請求項１に記載のブラジャー用前部連結具。
【請求項３】
雌型連結具のスリット状開口部の裏面側前方壁面部に凸状部を設けたことを特徴とする請求項１〜請求項２のいずれかに記載のブラジャー用前部連結具。
【請求項４】
雌型連結具のスリット状開口部の両側に設けた脇部側突状部の先端部に突出部を設けたことを特徴とする請求項１〜請求項３のいずれかに記載のブラジャー用前部連結具。
【請求項５】
雄型連結具の押圧板の裏面側に嵌合用切溝を設け、切抜窓の前方位置に設けた固定部側に同嵌合用切溝を嵌合させるように構成したことを特徴とする請求項１〜請求項４のいずれかに記載のブラジャー用前部連結具。
【請求項６】
前記連結具はポリアセタール樹脂、ポリアミド樹脂、ポリカーボネート樹脂などから選ばれた樹脂で構成したことを特徴とする請求項１〜請求項５のいずれかに記載のブラジャー用前部連結具
【発明の詳細な説明】
【０００１】
【発明の属する技術分野】
本発明は、スリット状開口部を有する雌型連結具に対して挿入用突出板を有する雌型連結具を嵌合自在とした前身開放型のブラジャー用前部連結具に関するものである。
【０００２】
【従来の技術】
従来は、例えば実用新案登録第３０６０００５号公報に記載されているように前身開放型のブラジャーにおいて、左右カップの中央側脇部にテープ生地で形成した複数の係合部を設け、同係合部に留具を係止してカップ間の間隔を適宜に調整するようにしてあり、同様に例えば実用新案登録第３０３７８７７号公報に記載されているように左右のカップ部の中央脇部側にベルトを夫々連接し、且つフックリングに同ベルトを挿通してカップ間の間隔を適宜に調節するようにしたものが見られる。
【０００３】
【発明が解決しようとする課題】
上記のように、前身側開放型のブラジャーにおいて、従来の場合はカップ間の間隔を調節するために、テープ生地やベルト等の手段が用いられているが、左右のカップ間を連結自在にするための留具としては、形状の小さなものは操作性や強度に問題があり、大きな形状のものは見栄えが悪く、肌に当たるなど着用感が悪く、小型で操作性が良いなど取り扱い等の点で合理的な留具は、従来からあまり見られなかったのである。
【０００４】
【課題を解決するための手段】
本発明は上記の課題を解決するために、先ず特許請求の範囲の請求項１においては、板状体の表面側から裏面側に貫通するスリット状の嵌合用開口部を備えた雌型連結具と、前記雌型連結具のスリット状開口部に嵌合する嵌合板を備えた雄型連結具からなる前止め形式のブラジャー用連結具において、前記雌型連結具の板状体の表面側に凹状切除部を設けると共に、同凹状切除部の中間位置から板状体の裏面側後方位置に切抜窓を設けてスリット状開口部を一体化、貫通して形成し、一方押圧板及び突出板を段差状に一体化して嵌合板を形成すると共に、前方位置に設けた突出板を低位置に位置させて雄型連結具を構成し、前記スリット状開口部内に嵌合板を挿入、嵌合するように構成したことにより、コンパクトで且つ位置合わせが容易であり、取り扱いが便利で、連結時の強度が大でしかも取り外しが容易であるなど、極めて合理的な連結具が得られるようにしたものである。
【０００５】
また請求項２においては、雌型連結具のスリット状開口部の両側部に軸受用切欠部を設け、一方雄型連結具に設けた押圧板の先端側両端部に支軸を設け、同支軸を前記軸受用切欠部側に嵌合、軸支させるように構成したことにより、雌型連結具に雄型連結具を挿入して位置決めする際、位置決めを極めて容易に行うことができ、また連結具の取り外しも容易に行うことができるのである。
【０００６】
更に請求項３においては、雌型連結具のスリット状開口部の裏面側前方壁面部に凸状部を設けたことにより、雄型連結具を雌型連結具側に嵌合する際、雄型連結具に設けた嵌合用切溝が同凸状部に接圧され、且つ緊締状態で嵌合されるので連結状態がより強固に維持されるのである。
【０００７】
また請求項４においては、雌型連結具のスリット状開口部の両側に設けた脇部側突状部の先端部に突出部を設けたことにより、雄型連結具を雌型連結具側に嵌合する際、雄型連結具に設けた縫着用取付部の前方壁面部が同突出部により接圧され、緊締状態で嵌合されるので、連結状態がより強固に、且つ安定的に維持されるのである。
【０００８】
また請求項５おいては、雄型連結具に設けた押圧板の裏面側に嵌合用切溝を設け、雌型連結具に設けた切抜窓の前方に位置する固定部側に同嵌合用切溝を嵌合させるように構成したことにより、雄型連結具の位置決めが確実に行われ、しかも雌型連結具と雄型連結具の噛み合い状態が強固になり、身体の屈伸運動などに対して連結具が外れる恐れもなく、着用感が向上し得るのである。
【０００９】
更に請求項６おいては、連結具がポリアセタール樹脂、ポリアミド樹脂、ポリカーボネート樹脂などから選ばれた合成樹脂で構成されるようにしたことにより、連結具の引っ張り強度や曲げ強さ、圧縮強さ等が向上し、また連結具が軽量であるためにバストに無理な圧迫感を与えることがなく、着用感が向上し得るのである。
【００１０】
【発明の実施の形態】
本発明によるブラジャー用前部連結具について、以下図例に基づいて説明する。１はブラジャーで２、２は左右のカップ部、３、３は夫々カップ部２、２の下方に設けた土台部、５、５は夫々肩紐、７、７は夫々土台部３の裏面側で且つ下方周辺部に設けたテープ生地、８、８は夫々土台部３の裏面側で且つ中央脇部側に設けたテープ生地、１０、１１は夫々同テープ生地８、８に設けた雌型並びに雄型連結具である。
【００１１】
図２は上記雌型連結具１０を示したもので、１３は板状体１２の表面側で、且つ前方側中央寄りの位置を段差状に一部切除して形成した凹状切除部で、１５、１６は夫々同凹状切除部１３の前方並びに後方端縁側の壁面部、１７、１７は夫々凹状切除部１３の側方端縁部である。２５は板状体１２の裏面側に形成した長方形状の切抜窓で、凹状切除部１３の中間位置から板状体１２の裏面側後方位置を長方形状に切除して形成してあり、且つ同切抜窓２５の幅は凹状切除部１３の幅と同一となるように形成してある。
【００１２】
３０はスリット状開口部で、板状体１２の表面側に設けた凹状切除部１３から裏面側に設けた切抜窓２５側に貫通して一体的に開口部３０を形成するようにしてあり、２８は切抜窓２５の後方壁面部である。
２０、２０は夫々半円弧状に形成した軸受用切欠部で凹状切除部１３の側方端縁部１７、１７の後方寄りの位置に形成してある、即ちスリット状開口部３０の両側部に軸受用切欠部２０、２０を形成するようにしてある。２２、２２は夫々凹状切除部１３の両側、即ちスリット状開口部３０の両側に設けた脇部側突状部、２３、２３は夫々同突状部２２、２２の先端部に一体化形成して設けた突出部である。
【００１３】
３２は位置決め用の固定部で切抜窓２５の前方位置側、即ち凹状切除部１３の前方壁面部１５と切抜窓２５の前方壁面部２７間に形成した固定部であり、３５は凸状部で切抜窓２５の前方壁面部２７、即ちスリット状開口部３０の裏面側前方壁面部２７に沿って設けた凸状部である。
【００１４】
３７は縫着用取付部で板状体１２の後方位置に一体化形成してあり、３８は縫着用溝部でミシン糸挿通用孔４０、４０、４０を設けてあり、同孔４０を介して土台部３の裏面中央部の脇部に設けたテープ生地８側に雌型連結具１０を縫着４１し、固定するようにしてある。
【００１５】
図３は雄型連結具１１を示したもので、５０は位置決め用の押圧板、５１は同板５０の前方位置に段差状に一体化形成した挿入用の突出板で、同板５１の水平面を押圧板５０の水平面よりも一段低く位置するように形成してあり、且つ押圧板５０並びに突出板５１により嵌合板５２を構成するようにしてある。５３、５３は夫々押圧板５０の前方位置の先端側両端部に設けた位置決め用の支軸で、前記軸受用切欠部２０、２０内に同支軸５３を嵌合可能にしてあり、５５は挿入用の突出板５１の前方壁面部である。
【００１６】
５７は押圧板５０の裏面側に設けた嵌合用切溝で、５８は同溝５７の前方壁面部、６０は前述と同様の縫着用取付部で押圧板５０の後方位置に一体化形成して設けてあり、６２は縫着用溝部でミシン糸挿通用孔６３、６３、６３を設けてあり、且つ同孔６３を介して土台部３の裏面中央部の脇部に設けたテープ生地８側に雄型連結具１１を縫着６５し、固定するようにしてある。尚、縫着用取付部６０の幅は、位置決め用押圧板５０の幅よりも幅広く形成するようにしてあり、６７，６７は夫々縫着用取付部６０の前方壁面部である。
【００１７】
次いで雌型連結具１０と雄型連結具１１との連結手段について説明する。先ず図４の如く、雌型連結具１０のスリット状開口部３０内に雄型連結具１１の突出板５１を挿入すると共に、位置決め用の支軸５３、５３をスリット状開口部３０の両側部に設けた軸受用切欠部２０、２０内に嵌合し、次いで位置決め用の支軸５３、５３を中心にして雌型及び雄型連結具１０、１１の後方部を夫々押し下げ、且つ同連結具１０、１１が一直線状となるように互いに反対方向に押圧、回動させることにより、図５の如く雄型連結具１１の突出板５１が雌型連結具１０の切抜窓２５内に嵌合され、更に突出板５１の前方壁面部５５と切抜窓２５の後方壁面部２８とが接圧された状態で嵌合されるのである。
【００１８】
また雄型連結具１１の嵌合用切溝５７が、前記固定部３２の部位に嵌合され、且つ同切溝５７の前方壁面部５８が切抜窓２５の前方壁面部２７に設けた凸状部３５側に接圧され、圧着、固定されるのである。更に雄型連結具１１の縫着用取付部６０における前方壁面部６７、６７が、図６の如く板状体１２の脇部側突状部２２、２２の先端部に設けた突出部２３、２３側に接圧され、雄型連結具１１と雌型連結具１０の嵌合が、より確実になり、圧着、連結、固定されるのである。
【００１９】
尚、雌型及び雄型連結具１０、１１の連結を取り外す場合は、位置決め用支軸５３、５３を中心にして雌型及び雄型連結具１０、１１を中折れ状となるように同連結具１０、１１の後方位置を夫々押し上げ、回動させることにより、図４の如く雌型及び雄型連結具１０、１１が夫々中折れの状態となり、雌型及び雄型連結具１０、１１の連結を容易に分離して取り外すことができるのである。
【００２０】
また本発明による連結具をブラジャー等に装着して連結自在にする場合、身体の内側に中折れさせて装着し、外側に中折れさせて離脱させるようにするか、或いはこの逆に操作するように装着してもどちらでもよい。また連結後、身体の屈伸動作等によって容易に中折れ状態になったり、或いは連結具自体の係合が解除されないように配慮することは極めて重要である。そこで本発明の実施例においては請求項３および請求項４に記載の手段によって通常の身体の屈伸動作においては係合が解除されるような恐れは全くなくなるのである。
【００２１】
更に本発明による実施例では、嵌合状態における中折れ状態が生じる係合軸芯回りの力のモーメントは約９３５ｇ／ｃｍであったが、好ましい値は３００〜１０００ｇ／ｃｍの範囲が好適である。即ち、この範囲より小さいと外れやすくなり、大きすぎると着脱操作が困難になる恐れがあるのである。
【００２２】
また雌型及び雄型連結具１０、１１の夫々のサイズについて、横方向（ブラジャーの胸回り方向）の寸法としては９〜１１ｍｍ、縦方向（ブラジャーの身丈方向）の寸法としては２０〜２２ｍｍ、厚さが２〜３ｍｍの範囲が好ましく、これらの範囲外の場合は、連結具としての機能や取り扱いが難しくなり、あまり好ましくないのである。また雌型及び雄型連結具の材質としては、引っ張り強度や曲げ強さ、圧縮強さ、耐疲労性、耐磨耗性、耐クリープ性等に優れた合成樹脂が好ましく、例えばポリアセタール樹脂やポリアミド樹脂、ポリカーボネート樹脂などから選ばれた合成樹脂で構成することが好ましいのである。
【００２３】
【発明の効果】
本発明は以上の如く、雌型連結具を形成する板状体の表面側に凹状切除部を設けると共に、同凹状切除部の中間位置から板状体の裏面側後方位置に切抜窓を設け、凹状切除部及び切抜窓を貫通、一体化してスリット状開口部を形成し、一方押圧板及び突出板を段差状に一体化して嵌合板を形成すると共に、前方位置に設けた突出板を低位置に位置させて雄型連結具を構成し、前記スリット状開口部内に嵌合板を挿入、嵌合するように構成したことにより、雌型連結具と雄型連結具との連結が確実に嵌合、接圧され、且つ確実に圧着、固定されるのである。
【００２４】
従って前身開放型のブラジャーにおいて、カップ部の背面側に装着された雌型及び雄型連結具を前部側で連結若しくは取り外しの操作が極めても容易であり、また連結具自体が小型であるので、連結嵌合時の位置合わせが容易であり、更に嵌合動作を中折れ状態から直線状に押圧したり、或いは直線状態から中折れ状態に押圧する等、いずれも一動作で済むため、連結が容易である。また構造がシンプルなため部品強度の低下がなく、強度が大である等の効果が得られるのである。
【図面の簡単な説明】
【図１】本発明の実施例によるブラジャー主体部の背面図である。
【図２】本発明における雌型連結具の概略斜視図である。
【図３】本発明における雄型連結具の概略斜視図である。
【図４】図２のＸ−Ｘ断面図による雌型連結具に図３のＹ−Ｙ断面図による雄型連結具を嵌合する状態を示した作動説明用概略断面図である。本発明の実施例によるブラジャー主体部の背面図である。
【図５】図２のＸ−Ｘ断面図による雌型連結具に図３のＹ−Ｙ断面図による雄型連結具を嵌合した状態を示した作動説明用概略断面図である。
【図６】本発明における雌型連結具に雄型連結具を嵌合した状態を示した作動説明用概略平面図である。
【符号の説明】
１  ブラジャー
２    カップ部
１０  雌型連結具
１１  雄型連結具
１２  板状体
２５  切抜窓
３０  スリット状開口部
【図１】
2004218119.tif 000003
【図２】
2004218119.tif 000004
【図３】
2004218119.tif 000005
【図４】
2004218119.tif 000006
【図５】
2004218119.tif 000007
【図６】
2004218119.tif 000008